(57)【要約】【課題】通信路を経由させて画像を表示する場合に、通信の効率化を図りつつ、画像品質の劣化を防止する。【解決手段】画像送信装置から表示装置へ画像を無線により送信し、前記表示装置は前記画像を受信して表示する表示システムであって、前記画像送信装置と前記表示装置との間の無線通信路の品質を測定する処理を行う測定処理部と、前記測定処理部により行われた処理の結果に基づいて、前記画像の通信に使用する通信方式として、パケットの順序および欠落がないことのうちの少なくともいずれかを保証しない第１の通信方式と、パケットの順序および欠落がないことを保証する第２の通信方式とを切り替えることを判定する処理を行う判定処理部と、を備える。【選択図】図１
2016134710.tif 000002
【特許請求の範囲】
【請求項１】
画像送信装置から表示装置へ画像を無線により送信し、前記表示装置は前記画像を受信して表示する表示システムであって、
前記画像送信装置と前記表示装置との間の無線通信路の品質を測定する処理を行う測定処理部と、
前記測定処理部により行われた処理の結果に基づいて、前記画像の通信に使用する通信方式として、パケットの順序および欠落がないことのうちの少なくともいずれかを保証しない第１の通信方式と、パケットの順序および欠落がないことを保証する第２の通信方式とを切り替えることを判定する処理を行う判定処理部と、
を備える表示システム。
【請求項２】
前記測定処理部は、前記画像の通信に使用される通信ポートとは異なる通信ポートを使用して、当該通信ポートに対応する前記無線通信路の品質を測定する処理を行う、
請求項１に記載の表示システム。
【請求項３】
前記第１の通信方式により前記画像の通信に使用される通信ポートおよび前記第２の通信方式により前記画像の通信に使用される通信ポートについて生存確認し、生存確認できないと判定された通信ポートについて新規に通信ポートを生成するポート処理部を備える、
請求項１または請求項２のいずれか１項に記載の表示システム。
【請求項４】
画像送信装置から無線により送信される画像を受信する無線通信部と、
前記無線通信部により受信された画像を表示させる処理を行う表示処理部と、
前記画像送信装置との間の無線通信路の品質を測定する処理を行う測定処理部と、
前記測定処理部により行われた処理の結果に基づいて、前記画像の通信に使用する通信方式として、パケットの順序および欠落がないことのうちの少なくともいずれかを保証しない第１の通信方式と、パケットの順序および欠落がないことを保証する第２の通信方式とを切り替えることを判定する処理を行う判定処理部と、
を備える表示装置。
【請求項５】
表示装置へ画像を無線により送信する無線通信部と、
前記表示装置との間の無線通信路の品質を測定する処理を行う測定処理部と、
前記測定処理部により行われた処理の結果に基づいて、前記画像の通信に使用する通信方式として、パケットの順序および欠落がないことのうちの少なくともいずれかを保証しない第１の通信方式と、パケットの順序および欠落がないことを保証する第２の通信方式とを切り替えることを判定する処理を行う判定処理部と、
を備える画像送信装置。
【請求項６】
画像送信装置と表示装置との間の無線通信路の品質を測定する処理を行い、
前記処理の結果に基づいて、画像の通信に使用する通信方式として、パケットの順序および欠落がないことのうちの少なくともいずれかを保証しない第１の通信方式と、パケットの順序および欠落がないことを保証する第２の通信方式とを切り替えることを判定する処理を行い、
切り替えられた通信方式を使用して、前記画像送信装置から前記表示装置へ前記画像を無線により送信し、前記表示装置において前記画像を受信して表示する、
表示方法。
【請求項７】
表示装置へ画像を無線により送信するステップと、
前記表示装置との間の無線通信路の品質を測定する処理を行うステップと、
前記処理の結果に基づいて、前記画像の通信に使用する通信方式として、パケットの順序および欠落がないことのうちの少なくともいずれかを保証しない第１の通信方式と、パケットの順序および欠落がないことを保証する第２の通信方式とを切り替えることを判定する処理を行うステップと、
をコンピューターに実行させるためのプログラム。
【発明の詳細な説明】
【技術分野】
【０００１】
本発明は、表示システム、表示装置、画像送信装置、表示方法およびプログラムに関する。
【背景技術】
【０００２】
プロジェクターは、表示装置の一種であり、スクリーンなどに画像を投影することにより表示する装置である。１対１の無線通信によるディスプレイ伝送技術であるミラキャスト（Ｍｉｒａｃａｓｔ）（登録商標）の機能を備えたプロジェクターがある。ミラキャストは、無線ＬＡＮ（Local Area Network）の規格の一つであるＷｉ−Ｆｉ（登録商標）を介して画像を伝送する。
なお、画像は、静止画像、および動画像（映像と呼ばれてもよい。）を含んでもよい。
【０００３】
ミラキャストの機能を備えたプロジェクターにおいて、ＵＤＰ（User Datagram Protocol）に対応した１個の画像用の通信ポートを備えるものがある。しかしながら、ＵＤＰによる画像の無線転送では、周囲の無線環境の混雑により欠落したデータが再送されない。このため、このプロジェクターでは、画像品質の劣化が生じる可能性があった。また、画像の無線転送では、周囲の無線環境の混雑によりＵＤＰのセッションのみが切断された場合、すぐに復旧することができなかった。
【０００４】
特許文献１には、現在の無線通信の内容に応じて複数の無線通信の通信方式を切り替える携帯端末装置が記載されている（特許文献１参照。）。
特許文献２には、通信速度に基づいて、実際の通信状況を考慮した適切な通信回線を選択する通信回線選択装置が記載されている（特許文献２参照。）。
【先行技術文献】
【特許文献】
【０００５】
【特許文献１】特開２０１１−４９７００号公報
【特許文献２】特開２０１０−４５６６２号公報
【発明の概要】
【発明が解決しようとする課題】
【０００６】
従来では、プロジェクターにおいて、通信路（通信回線）を経由させて画像を表示する場合に、画像品質の劣化が生じる場合があった。
【０００７】
本発明は、前記の点に鑑み為されたものであり、通信路を経由させて画像を表示する場合に、通信の効率化を図りつつ、画像品質の劣化を防止することができる表示システム、表示装置、画像送信装置、表示方法およびプログラムを提供することを目的とする。
【課題を解決するための手段】
【０００８】
本発明の一態様は、上記の課題を解決するためになされたものであり、画像送信装置から表示装置へ画像を無線により送信し、前記表示装置は前記画像を受信して表示する表示システムであって、前記画像送信装置と前記表示装置との間の無線通信路の品質を測定する処理を行う測定処理部と、前記測定処理部により行われた処理の結果に基づいて、前記画像の通信に使用する通信方式として、パケットの順序および欠落がないことのうちの少なくともいずれかを保証しない第１の通信方式と、パケットの順序および欠落がないことを保証する第２の通信方式とを切り替えることを判定する処理を行う判定処理部と、を備える表示システムである。
この構成により、表示システムでは、画像送信装置と表示装置との間の無線通信路の品質を測定した結果に基づいて、パケットの順序および欠落がないことのうちの少なくともいずれかを保証しない第１の通信方式と、パケットの順序および欠落がないことを保証する第２の通信方式とを切り替えることを判定する。これにより、表示システムでは、通信路を経由させて画像を表示する場合に、通信の効率化を図りつつ、画像品質の劣化を防止することができる。
【０００９】
本発明の一態様は、表示システムにおいて、前記測定処理部は、前記画像の通信に使用される通信ポートとは異なる通信ポートを使用して、当該通信ポートに対応する前記無線通信路の品質を測定する処理を行う、構成が用いられてもよい。
この構成により、表示システムでは、画像の通信に使用される通信ポートとは異なる通信ポートを使用して、無線通信路の品質を測定する。これにより、表示システムでは、画像の通信に使用される通信ポートを画像通信に専用として、画像通信の効率化を図ることができる。
【００１０】
本発明の一態様は、表示システムにおいて、前記第１の通信方式により前記画像の通信に使用される通信ポートおよび前記第２の通信方式により前記画像の通信に使用される通信ポートについて生存確認し、生存確認できないと判定された通信ポートについて新規に通信ポートを生成するポート処理部を備える、構成が用いられてもよい。
この構成により、表示システムでは、画像の通信に使用される通信ポートについて、生存確認できない場合に新規に通信ポートを生成する。これにより、表示システムでは、画像の通信に使用される通信ポートを使用可能な状態に維持することができる。
【００１１】
本発明の一態様は、上記の課題を解決するためになされたものであり、画像送信装置から無線により送信される画像を受信する無線通信部と、前記無線通信部により受信された画像を表示させる処理を行う表示処理部と、前記画像送信装置との間の無線通信路の品質を測定する処理を行う測定処理部と、前記測定処理部により行われた処理の結果に基づいて、前記画像の通信に使用する通信方式として、パケットの順序および欠落がないことのうちの少なくともいずれかを保証しない第１の通信方式と、パケットの順序および欠落がないことを保証する第２の通信方式とを切り替えることを判定する処理を行う判定処理部と、を備える表示装置である。
この構成により、表示装置では、画像送信装置との間の無線通信路の品質を測定した結果に基づいて、パケットの順序および欠落がないことのうちの少なくともいずれかを保証しない第１の通信方式と、パケットの順序および欠落がないことを保証する第２の通信方式とを切り替えることを判定する。これにより、表示装置では、通信路を経由させて画像を表示する場合に、通信の効率化を図りつつ、画像品質の劣化を防止することができる。
【００１２】
本発明の一態様は、上記の課題を解決するためになされたものであり、表示装置へ画像を無線により送信する無線通信部と、前記表示装置との間の無線通信路の品質を測定する処理を行う測定処理部と、前記測定処理部により行われた処理の結果に基づいて、前記画像の通信に使用する通信方式として、パケットの順序および欠落がないことのうちの少なくともいずれかを保証しない第１の通信方式と、パケットの順序および欠落がないことを保証する第２の通信方式とを切り替えることを判定する処理を行う判定処理部と、を備える画像送信装置である。
この構成により、画像送信装置では、表示装置との間の無線通信路の品質を測定した結果に基づいて、パケットの順序および欠落がないことのうちの少なくともいずれかを保証しない第１の通信方式と、パケットの順序および欠落がないことを保証する第２の通信方式とを切り替えることを判定する。これにより、画像送信装置では、通信路を経由させて画像を表示する場合に、通信の効率化を図りつつ、画像品質の劣化を防止することができる。
【００１３】
本発明の一態様は、上記の課題を解決するためになされたものであり、画像送信装置と表示装置との間の無線通信路の品質を測定する処理を行い、前記処理の結果に基づいて、画像の通信に使用する通信方式として、パケットの順序および欠落がないことのうちの少なくともいずれかを保証しない第１の通信方式と、パケットの順序および欠落がないことを保証する第２の通信方式とを切り替えることを判定する処理を行い、切り替えられた通信方式を使用して、前記画像送信装置から前記表示装置へ前記画像を無線により送信し、前記表示装置において前記画像を受信して表示する、表示方法である。
この構成により、表示方法では、画像送信装置と表示装置との間の無線通信路の品質を測定した結果に基づいて、パケットの順序および欠落がないことのうちの少なくともいずれかを保証しない第１の通信方式と、パケットの順序および欠落がないことを保証する第２の通信方式とを切り替えることを判定する。これにより、表示方法では、通信路を経由させて画像を表示する場合に、通信の効率化を図りつつ、画像品質の劣化を防止することができる。
【００１４】
本発明の一態様は、上記の課題を解決するためになされたものであり、表示装置へ画像を無線により送信するステップと、前記表示装置との間の無線通信路の品質を測定する処理を行うステップと、前記処理の結果に基づいて、前記画像の通信に使用する通信方式として、パケットの順序および欠落がないことのうちの少なくともいずれかを保証しない第１の通信方式と、パケットの順序および欠落がないことを保証する第２の通信方式とを切り替えることを判定する処理を行うステップと、をコンピューターに実行させるためのプログラムである。
この構成により、当該プログラムでは、当該コンピューターを備える装置（画像送信装置）と表示装置との間の無線通信路の品質を測定した結果に基づいて、パケットの順序および欠落がないことのうちの少なくともいずれかを保証しない第１の通信方式と、パケットの順序および欠落がないことを保証する第２の通信方式とを切り替えることを判定する。これにより、当該プログラムでは、通信路を経由させて画像を表示する場合に、通信の効率化を図りつつ、画像品質の劣化を防止することができる。
【００１５】
以上のように、本発明に係る表示システム、表示装置、画像送信装置、表示方法およびプログラムによれば、画像送信装置と表示装置との間の無線通信路の品質を測定した結果に基づいて、パケットの順序および欠落がないことのうちの少なくともいずれかを保証しない第１の通信方式と、パケットの順序および欠落がないことを保証する第２の通信方式とを切り替えることを判定する。これにより、本発明に係る表示システム、表示装置、画像送信装置、表示方法およびプログラムでは、通信路を経由させて画像を表示する場合に、通信の効率化を図りつつ、画像品質の劣化を防止することができる。
【図面の簡単な説明】
【００１６】
【図１】本発明の一実施形態（第１実施形態）に係る表示システムの概略的な構成例を示す図である。
【図２】本発明の一実施形態に係る表示システムにおいて行われるポートスキャンに関する処理の手順の一例を示す図である。
【図３】本発明の一実施形態に係る表示システムにおいて行われる通信品質の測定および通信ポートの切り替えの処理の手順の一例を示す図である。
【図４】本発明の一実施形態（第２実施形態）に係る表示システムの概略的な構成例を示す図である。
【発明を実施するための形態】
【００１７】
［第１実施形態］
本発明の実施形態（第１実施形態）について図面を参照して詳細に説明する。
図１は、本発明の一実施形態（第１実施形態）に係る表示システム１の概略的な構成例を示す図である。
表示システム１は、表示装置１１と、端末装置１２を備える。表示装置１１と端末装置１２との間には、ネットワーク通信の通信路として、通信用ＵＤＰ通信路１００１と、通信用ＴＣＰ通信路１００２と、測定用ＴＣＰ通信路１００３が形成される。通信用ＵＤＰ通信路１００１は、表示装置１１および端末装置１２の通信用ＵＤＰ通信ポートによりＵＤＰで画像を通信する通信路である。通信用ＴＣＰ通信路１００２は、表示装置１１および端末装置１２の通信用ＴＣＰ通信ポートによりＴＣＰで画像を通信する通信路である。測定用ＴＣＰ通信路１００３は、表示装置１１および端末装置１２の測定用ＴＣＰ通信ポートによりＴＣＰで通信の品質を測定する通信路である。
【００１８】
本実施形態では、表示装置１１はプロジェクターであり、端末装置１２はパーソナルコンピュータ（ＰＣ：Personal Computer）である。なお、プロジェクターは、リアプロジェクション（背面投射）型のプロジェクターであってもよい。
本実施形態では、表示装置１１がシンクデバイス（Sink Device）となり、端末装置１２が接続対象装置であるソースデバイス（Source Device）となる。そして、端末装置１２は画像（画像のデータ）を表示装置１１に対して無線により送信（例えば、転送）し、表示装置１１は当該画像を受信して表示画像投影部３２によりスクリーンなどに投影する。
【００１９】
表示装置１１は、無線通信部３１と、表示画像投影部３２と、記憶部３３と、入力部３４と、出力部３５と、電源部３６と、制御部３７を備える。制御部３７は、ポート処理部５１と、測定処理部５２と、判定処理部５３を備える。
端末装置１２は、無線通信部７１と、記憶部７２と、入力部７３と、出力部７４と、電源部７５と、制御部７６を備える。制御部７６は、ポート処理部９１と、測定処理部９２を備える。
【００２０】
表示装置１１について説明する。
無線通信部３１は、無線の通信路を介して無線通信を行う。本実施形態では、無線通信部３１は、ミラキャストの機能を利用してＵＤＰの通信を行う機能を有し、また、ＴＣＰ（Transmission Control Protocol）の通信を行う機能を有する。
ここで、ＵＤＰは、パケットの順序および欠落がないことのうちの少なくともいずれかを保証しない通信方式の一例である。ＴＣＰは、パケットの順序および欠落がないことを保証する通信方式の一例である。ＵＤＰとＴＣＰを比較すると、ＵＤＰは信頼性は低いが通信速度が速く、ＴＣＰは信頼性は高いが通信速度は遅くなる。
【００２１】
表示画像投影部３２は、表示対象の画像をスクリーンなどに投影する。これにより、投影された画像がスクリーンなどに表示される。
具体的には、表示画像投影部３２は、表示対象の画像の信号を、ＲＧＢのそれぞれ（Red、Green、Blue）ごとに、液晶パネルの各画素の階調を表す画像情報に変換し、変換した画像情報を出力して投影する。表示画像投影部３２は、液晶パネルと、光源と、投影レンズを備える。表示画像投影部３２は、前記した画像情報に応じた駆動電圧を液晶パネルの各画素に印加（駆動）する。この印加によって、液晶パネルは、光源から当該液晶パネルへ入射された光を、前記した画像情報に応じた画像を映し出す光（変調された光）として形成する。表示画像投影部３２は、光源から放射された光を液晶パネル側に反射するリフレクターを含み、反射された光を前記した画像情報に応じた画像を映し出す光として液晶パネルに形成させる。そして、表示画像投影部３２は、液晶パネルに形成された画像を映し出す光を、投影レンズを通して投影する。
【００２２】
ここで、光源は、例えば、超高圧水銀ランプあるいはメタルハライドランプなどからなる放電型の光源ランプであるが、光源ランプに限られず、ＬＥＤ（Light Emitting Diode）光源あるいはレーザー光源などが用いられてもよい。液晶パネルは、例えば、一対の透明基板の間に液晶が封入された、光の三原色であるＲＧＢそれぞれに対応した透過型の液晶パネルである。なお、液晶パネルとしては、透過型の液晶パネルに限られず、反射型の液晶パネルが用いられてもよい。また、表示画像投影部３２のライトバルブとしては、液晶パネルを備える構成に代えて、ＤＭＤ（Digital Mirror Device）などを備える構成が用いられてもよい。
【００２３】
記憶部３３は、各種の情報を記憶する。本実施形態では、記憶部３３は、制御部３７を動作させるためのプログラム、各種のパラメーター、各種の設定内容などの情報を記憶する。
入力部３４は、ユーザーにより行われる操作に応じた情報を入力する機能、または他の装置から出力された情報を入力する機能のうちの１以上を備える。
出力部３５は、液晶ディスプレイなどの画面に情報を表示出力する機能、音声の情報を音出力する機能、または、他の装置に情報を出力する機能のうちの１以上を備える。
電源部３６は、外部の電源または内蔵されたバッテリーから供給される電源を、表示装置１１の各部に供給する。
【００２４】
制御部３７は、各種の制御を行う。本実施形態では、制御部３７は、ＣＰＵ（Central Processing Unit）を有しており、記憶部３３に記憶されたプログラムを実行することで各種の制御を行う。
ポート処理部５１は、通信ポートに関する処理を行う。本実施形態では、ポート処理部５１は、通信用ＵＤＰ通信ポート、通信用ＴＣＰ通信ポート、および測定用ＴＣＰ通信ポートに関する処理を行う。
測定処理部５２は、測定用ＴＣＰ通信路１００３の品質測定に関する処理を行う。
判定処理部５３は、通信ポートに関する判定を行う。
【００２５】
端末装置１２について説明する。
無線通信部７１は、無線通信を行う。本実施形態では、無線通信部７１は、ミラキャストの機能を利用してＵＤＰの通信を行う機能を有し、また、ＴＣＰの通信を行う機能を有する。
記憶部７２は、各種の情報を記憶する。本実施形態では、記憶部７２は、制御部７６を動作させるためのプログラム、各種のパラメーター、各種の設定内容などの情報を記憶する。
入力部７３は、ユーザーにより行われる操作に応じた情報を入力する機能、または他の装置から出力された情報を入力する機能のうちの１以上を備える。
出力部７４は、液晶ディスプレイなどの画面に情報を表示出力する機能、音声の情報を音出力する機能、または、他の装置に情報を出力する機能のうちの１以上を備える。
電源部７５は、外部の電源または内蔵されたバッテリーから供給される電源を、端末装置１２の各部に供給する。
【００２６】
制御部７６は、各種の制御を行う。本実施形態では、制御部７６は、ＣＰＵを有しており、記憶部７２に記憶されたプログラムを実行することで各種の制御を行う。
ポート処理部９１は、通信ポートに関する処理を行う。本実施形態では、ポート処理部９１は、通信用ＵＤＰ通信ポート、通信用ＴＣＰ通信ポート、および測定用ＴＣＰ通信ポートに関する処理を行う。
測定処理部９２は、測定用ＴＣＰ通信路１００３の品質測定に関する処理を行う。
【００２７】
表示システム１において表示装置１１と端末装置１２により行われる処理について説明する。
まず、表示装置１１および端末装置１２は、ミラキャストの機能を有効にする。なお、この機能は、例えば、表示装置１１および端末装置１２のそれぞれの主電源がオンにされることで有効にされる。
表示装置１１および端末装置１２は、ミラキャストの接続中（物理層の接続中）に、通信用ＵＤＰ通信ポート、通信用ＴＣＰ通信ポート、および測定用ＴＣＰ通信ポートを生成し、通信用ＵＤＰ通信路１００１、通信用ＴＣＰ通信路１００２、および測定用ＴＣＰ通信路１００３を形成する。これにより、それぞれのセッションが確立される。
【００２８】
その後、表示装置１１は、通信用ＵＤＰ通信ポートおよび通信用ＴＣＰ通信ポートに対し、生存（接続）確認するためのポートスキャンの処理を実行する。表示装置１１は、当該処理を定期的に実行する。
【００２９】
図２は、本発明の一実施形態に係る表示システム１において行われるポートスキャンに関する処理の手順の一例を示す図である。
表示装置１１は、ポート処理部５１により、ポートスキャンを行う（ステップＳ１１）。
表示装置１１は、ポートスキャンの結果に基づいて、ポート処理部５１により、生存確認できない通信ポートがあるか否かを判定する（ステップＳ１２）。本実施形態では、判定対象となる通信ポートに対応する通信路が接続されている状態では、表示装置１１と端末装置１２との間で当該通信路を経由させて通信を行うことにより、当該通信ポートの生存を確認する。一方、判定対象となる通信ポートに対応する通信路が接続されていない状態では、表示装置１１と端末装置１２との間で当該通信路を経由させて通信を行うことができず、当該通信ポートの生存を確認できない。
ステップＳ１２の処理の結果、表示装置１１は、生存確認できない通信ポートがあると判定された場合には、ポート処理部５１により、当該通信ポートを新規に生成する（ステップＳ１３）。そして、表示装置１１は、ポート処理部５１により、当該通信ポートを生成した旨を端末装置１２に通知する（ステップＳ１４）。
【００３０】
ここで、生存確認できない通信ポートがある場合としては、例えば、通信用ＵＤＰ通信ポートおよび通信用ＴＣＰ通信ポートのうちのいずれか一方の生存確認ができなかった場合、あるいは、これらの両方の生存確認ができなかった場合がある。表示装置１１は、いずれか一方の通信ポートの生存確認ができなかった場合には、該当する通信ポートを新規に生成し、また、これらの両方の通信ポートの生存確認ができなかった場合には、これらの両方の通信ポートを新規に生成する。
また、表示装置１１は、ポート処理部５１により、通信ポートを生成した旨を通知する通信ポートとして、任意の通信ポートが用いられてもよく、本実施形態では、画像の通信に用いられる通信ポートが用いられる。
なお、端末装置１２は、表示装置１１のポート処理部５１により行われる処理に応じて、ポート処理部９１により、通信ポートに関する処理を実行する。また、表示装置１１と端末装置１２との間の無線通信は、それぞれの無線通信部３１、７１を用いて行う。
【００３１】
ステップＳ１２の処理の結果、表示装置１１は、生存確認できない通信ポートがないと判定された場合には、端末装置１２と画像の通信を行う。ここで、本実施形態では、表示装置１１および端末装置１２は、測定用ＴＣＰ通信ポートを使用して通信の品質を測定し、その結果に基づいて、通信用ＵＤＰ通信ポートと通信用ＴＣＰ通信ポートを切り替える。表示装置１１および端末装置１２は、切り替えられた通信ポートを使用して、端末装置１２から表示装置１１へ画像を通信する。
本実施形態では、表示装置１１および端末装置１２において、通信ポートの切り替え処理が行われる前には、初期設定として、通信用ＵＤＰ通信ポートを使用することが設定されている。
【００３２】
図３は、本発明の一実施形態に係る表示システム１において行われる通信品質の測定および通信ポートの切り替えの処理の手順の一例を示す図である。
表示装置１１および端末装置１２は、それぞれ、測定処理部５２、９２により、測定の処理を実行する（ステップＳ２１）。具体的には、端末装置１２は、測定処理部９２により、測定用のデータを測定用ＴＣＰ通信路１００３を経由させて表示装置１１へ送信する。表示装置１１は、測定処理部５２により、端末装置１２から測定用ＴＣＰ通信路１００３を経由して受信された測定用のデータに基づいて、通信の品質を測定（検出）する。通信の品質としては、本実施形態では、スループットに関する値が用いられるが、任意の指標が用いられてもよい。本実施形態では、測定用ＴＣＰ通信路１００３の通信の品質が、通信用ＵＤＰ通信路１００１および通信用ＴＣＰ通信路１００２の通信の品質と同じまたは類似するとみなしている。
ここで、図３に示される通信品質の測定の処理は、本実施形態では、図２に示されるポートスキャンに関する処理が最初に完了したとき、または、その直後に、開始されるが、他のタイミングで開始されてもよい。表示装置１１および端末装置１２は、測定の処理を定期的に実行する。
【００３３】
表示装置１１は、判定処理部５３により、定期的に測定された結果を監視して、当該測定の結果が所定の基準値から外れるか否かを判定する（ステップＳ２２）。ここで、測定の結果が所定の基準値から外れる場合としては、通信の品質が所定の基準値と比べて悪い場合が設定される。一例として、測定の結果がスループットを表す速度の値［Ｍｂｐｓ］であり、所定の基準値が所定の速度の値［Ｍｂｐｓ］であり、判定処理部５３により、測定の結果である速度の値が所定の基準値未満である場合に、所定の基準値から外れると判定する。通信の品質が悪くなる原因としては、例えば、外乱などの無線環境がある。
【００３４】
ステップＳ２２の処理の結果、表示装置１１は、判定処理部５３により、測定の結果が所定の基準値を外れたと判定した場合には、判定処理部５３により、現在において画像の通信に使用されている通信ポートが通信用ＵＤＰ通信ポートであるか否かを判定する（ステップＳ２３）。
【００３５】
ステップＳ２３の処理の結果、表示装置１１は、判定処理部５３により、現在において画像の通信に使用されている通信ポートが通信用ＵＤＰ通信ポートであると判定した場合には、画像の通信に使用する通信ポートを通信用ＴＣＰ通信ポートへ切り替えることを決定する（ステップＳ２４）。そして、表示装置１１は、ポート処理部５１により、画像の通信に使用する通信ポートを通信用ＴＣＰ通信ポートへ切り替える。また、表示装置１１は、判定処理部５３により、画像の通信に使用する通信ポートを通信用ＴＣＰ通信ポートへ切り替えることを、当該通信用ＴＣＰ通信ポートを経由させて、端末装置１２に通知する。当該通知を受信すると、端末装置１２は、ポート処理部９１により、画像の通信に使用する通信ポートを通信用ＴＣＰ通信ポートへ切り替える。これにより、端末装置１２は、通信用ＴＣＰ通信ポートを使用して、表示装置１１に画像を送信し始める。
【００３６】
ステップＳ２３の処理の結果、表示装置１１は、判定処理部５３により、現在において画像の通信に使用されている通信ポートが通信用ＵＤＰ通信ポートではない（つまり、通信用ＴＣＰ通信ポートである）と判定した場合には、そのままの切り替え状態を維持する。
【００３７】
ステップＳ２２の処理の結果、表示装置１１は、判定処理部５３により、測定の結果が所定の基準値を外れない（つまり、所定の基準値を満たす）と判定した場合には、判定処理部５３により、現在において画像の通信に使用されている通信ポートが通信用ＴＣＰ通信ポートであるか否かを判定する（ステップＳ２５）。
【００３８】
ステップＳ２５の処理の結果、表示装置１１は、判定処理部５３により、現在において画像の通信に使用されている通信ポートが通信用ＴＣＰ通信ポートであると判定した場合には、画像の通信に使用する通信ポートを通信用ＵＤＰ通信ポートへ切り替えることを決定する（ステップＳ２６）。そして、表示装置１１は、ポート処理部５１により、画像の通信に使用する通信ポートを通信用ＵＤＰ通信ポートへ切り替える。また、表示装置１１は、判定処理部５３により、画像の通信に使用する通信ポートを通信用ＵＤＰ通信ポートへ切り替えることを、当該通信用ＵＤＰ通信ポートを経由させて、端末装置１２に通知する。当該通知を受信すると、端末装置１２は、ポート処理部９１により、画像の通信に使用する通信ポートを通信用ＵＤＰ通信ポートへ切り替える。これにより、端末装置１２は、通信用ＵＤＰ通信ポートを使用して、表示装置１１に画像を送信し始める。
【００３９】
ステップＳ２５の処理の結果、表示装置１１は、判定処理部５３により、現在において画像の通信に使用されている通信ポートが通信用ＴＣＰ通信ポートではない（つまり、通信用ＵＤＰ通信ポートである）と判定した場合には、そのままの切り替え状態を維持する。
【００４０】
以上のように、表示システム１において、表示装置１１は、端末装置１２との通信接続中に、周囲の無線環境に応じた性能値（本実施形態では、速度の値）を測定し、当該測定の結果に基づいて、異なる２個の通信ポート（通信用ＵＤＰ通信ポートおよび通信用ＴＣＰ通信ポート）のうちの一方を選択して、選択した通信ポートを使用するように切り替えて、画像の通信を行う。また、表示装置１１は、生存確認できない通信ポートが発生した場合には、当該通信ポート（それと同等な通信ポート）を新規に生成して、常時、２個の通信ポート（通信用ＵＤＰ通信ポートおよび通信用ＴＣＰ通信ポート）が生存するように維持する。
【００４１】
例えば、表示システム１では、無線環境が混雑していない場合には、ＴＣＰと比べて信頼性は低いが高速なＵＤＰを用いて端末装置１２から表示装置１１へ画像を通信し、一方、無線環境が混雑している場合には、ＵＤＰと比べて再送制御を有し信頼性は高いが低速なＴＣＰを用いて端末装置１２から表示装置１１へ画像を通信する。これにより、表示システム１では、無線環境に合わせて、安定な画像の通信品質を維持することができる。また、表示システム１では、例えば、通信用ＵＤＰ通信ポートを使用して画像を通信しているときに、当該通信用ＵＤＰ通信ポートの通信品質が低下した場合には、通信用ＴＣＰ通信ポートを使用するように切り替えるため、表示装置１１において素早く画像再生の再開を可能とすることができ、画像の品質を向上させることができる。
このように、表示システム１では、通信路を経由させて画像を表示する場合に、画像品質の劣化を防止することができる。
【００４２】
ここで、本実施形態では、表示装置１１は、通信用ＵＤＰ通信ポートおよび通信用ＴＣＰ通信ポートについて生存確認して、生存確認できない通信ポートを新規に生成したが、さらに、測定用ＴＣＰ通信ポートについても、同じ処理（生存確認および新規の通信ポートの生成の処理）を実行してもよい。
【００４３】
また、本実施形態では、画像の通信に使用するポートを通信用ＵＤＰ通信ポートまたは通信用ＴＣＰ通信ポートへ切り替えることを、切り替え先の通信ポート（当該通信用ＵＤＰ通信ポートまたは当該通信用ＴＣＰ通信ポート）を経由させて、表示装置１１から端末装置１２に通知したが、他の構成例として、切り替え元の通信ポートを経由させて、表示装置１１から端末装置１２に通知してもよく、または、測定用ＴＣＰ通信ポートを経由させて、表示装置１１から端末装置１２に通知してもよい。
【００４４】
また、本実施形態では、通信品質の測定の結果として、速度の値が用いられたが、他の構成例として、レイテンシーの値が用いられてもよい。レイテンシーの値は、リクエストを発してから当該リクエストの結果が返ってくるまでに要する遅延時間の値であり、当該値が小さい方が通信品質が良好であるとみなすことができる。
【００４５】
また、ポートスキャン、生存確認、通信品質の測定、通信ポートの切り替えなどの各処理は、例えば、アプリケーションの機能として構成されて、当該アプリケーションの起動により実行が開始されてもよい。
【００４６】
一構成例として、表示システム１では、画像送信装置（本実施形態では、端末装置１２）から表示装置１１へ画像を無線により送信し、表示装置１１は前記画像を受信して表示する。表示システム１では、画像送信装置と表示装置１１との間の無線通信路の品質を測定する処理を行う測定処理部５２、９２と、測定処理部５２、９２により行われた処理の結果に基づいて、前記画像の通信に使用する通信方式として、パケットの順序および欠落がないことのうちの少なくともいずれかを保証しない第１の通信方式（本実施形態では、ＵＤＰ）と、パケットの順序および欠落がないことを保証する第２の通信方式（本実施形態では、ＴＣＰ）とを切り替えることを判定する処理を行う判定処理部５３と、を備える。表示システム１では、通信路を経由させて画像を表示する場合に、通信の効率化を図りつつ、画像品質の劣化を防止することができる。
一構成例として、表示システム１では、測定処理部５２、９２は、前記画像の通信に使用される通信ポート（本実施形態では、通信用ＵＤＰ通信ポートおよび通信用ＴＣＰ通信ポート）とは異なる通信ポート（本実施形態では、測定用ＴＣＰ通信ポート）を使用して、当該通信ポートに対応する無線通信路の品質を測定する処理を行う。これにより、表示システム１では、画像の通信に使用される通信ポートを画像通信に専用として、画像通信の効率化を図ることができる。
一構成例として、表示システム１では、第１の通信方式により前記画像の通信に使用される通信ポート（本実施形態では、通信用ＵＤＰ通信ポート）および第２の通信方式により前記画像の通信に使用される通信ポート（本実施形態では、通信用ＴＣＰ通信ポート）について生存確認し、生存確認できないと判定された通信ポートについて新規に通信ポートを生成するポート処理部（本実施形態では、表示装置１１のポート処理部５１）を備える。これにより、表示システム１では、画像の通信に使用される通信ポートを使用可能な状態に維持することができる。
【００４７】
一構成例として、表示装置１１では、画像送信装置から無線により送信される画像を受信する無線通信部３１と、無線通信部３１により受信された画像を表示させる処理を行う表示処理部（本実施形態では、表示画像投影部３２）と、画像送信装置との間の無線通信路の品質を測定する処理を行う測定処理部５２と、測定処理部５２により行われた処理の結果に基づいて、前記画像の通信に使用する通信方式として、第１の通信方式と、第２の通信方式とを切り替えることを判定する処理を行う判定処理部５３と、を備える。これにより、表示装置１１では、通信路を経由させて画像を表示する場合に、通信の効率化を図りつつ、画像品質の劣化を防止することができる。
一構成例として、表示方法（本実施形態では、表示システム１において行われる表示の方法）では、画像送信装置と表示装置１１との間の無線通信路の品質を測定する処理を行い、前記処理の結果に基づいて、画像の通信に使用する通信方式として、第１の通信方式と、第２の通信方式とを切り替えることを判定する処理を行い、切り替えられた通信方式を使用して、画像送信装置から表示装置１１へ前記画像を無線により送信し、表示装置１１において前記画像を受信して表示する。これにより、表示方法では、通信路を経由させて画像を表示する場合に、通信の効率化を図りつつ、画像品質の劣化を防止することができる。
【００４８】
［第２実施形態］
本発明の実施形態（第２実施形態）について図面を参照して詳細に説明する。
図１は、本発明の一実施形態（第２実施形態）に係る表示システム１０１の概略的な構成例を示す図である。
表示システム１０１は、表示装置１１１と、端末装置１１２を備える。表示装置１１１と端末装置１１２との間には、ネットワーク通信の通信路として、通信用ＵＤＰ通信路１０１１と、通信用ＴＣＰ通信路１０１２と、測定用ＴＣＰ通信路１０１３が形成される。
表示装置１１１は、無線通信部１３１と、表示画像投影部１３２と、記憶部１３３と、入力部１３４と、出力部１３５と、電源部１３６と、制御部１３７を備える。制御部１３７は、ポート処理部１５１と、測定処理部１５２を備える。
端末装置１１２は、無線通信部１７１と、記憶部１７２と、入力部１７３と、出力部１７４と、電源部１７５と、制御部１７６を備える。制御部１７６は、ポート処理部１９１と、測定処理部１９２と、判定処理部１９３を備える。
【００４９】
ここで、本実施形態に係る表示システム１０１は、図１に示される表示システム１と比べて、表示装置１１１の制御部１３７の構成および動作と、端末装置１１２の制御部１７６の構成および動作が、異なっている。具体的には、図１に示される表示システム１における表示装置１１の制御部３７でポート処理部５１、測定処理部５２、判定処理部５３により実行される動作を、本実施形態に係る表示システム１０１では、端末装置１１２の制御部１７６でポート処理部１９１、測定処理部１９２、判定処理部１９３により実行する。また、図１に示される表示システム１における端末装置１２の制御部７６でポート処理部９１、測定処理部９２により実行される動作を、本実施形態に係る表示システム１０１では、表示装置１１１の制御部１３７でポート処理部１５１、測定処理部１５２により実行する。
このように、表示システム１０１では、通信路を経由させて画像を表示する場合に、画像品質の劣化を防止することができる。
【００５０】
一構成例として、画像送信装置（本実施形態では、端末装置１１２）では、表示装置１１１へ画像を無線により送信する無線通信部１７１と、表示装置１１１との間の無線通信路の品質を測定する処理を行う測定処理部１９２と、測定処理部１９２により行われた処理の結果に基づいて、前記画像の通信に使用する通信方式として、パケットの順序および欠落がないことのうちの少なくともいずれかを保証しない第１の通信方式（本実施形態では、ＵＤＰ）と、パケットの順序および欠落がないことを保証する第２の通信方式（本実施形態では、ＴＣＰ）とを切り替えることを判定する処理を行う判定処理部１９３と、を備える。これにより、画像送信装置では、通信路を経由させて画像を表示する場合に、通信の効率化を図りつつ、画像品質の劣化を防止することができる。
一構成例として、画像送信装置のプログラムは、表示装置１１へ画像を無線により送信するステップと、表示装置１１との間の無線通信路の品質を測定する処理を行うステップと、前記処理の結果に基づいて、前記画像の通信に使用する通信方式として、第１の通信方式と、第２の通信方式とを切り替えることを判定する処理を行うステップと、を画像送信装置を構成するコンピューターに実行させる。これにより、当該プログラムでは、通信路を経由させて画像を表示する場合に、通信の効率化を図りつつ、画像品質の劣化を防止することができる。
【００５１】
なお、上記の実施形態（第１実施形態〜第２実施形態）では、表示装置１１、１１１としてプロジェクターが用いられたが、他の構成例として、表示装置はプロジェクター以外の装置に適用されてもよい。プロジェクター以外の装置（表示装置）としては、例えば、液晶ディスプレイ、有機ＥＬ（Electro Luminescence）ディスプレイ、プラズマディスプレイ、陰極線管（ＣＲＴ：Cathode Ray Tube）ディスプレイ、ＳＥＤ（Surface-conduction Electron-emitter Display）などが用いられてもよい。このように、フラットパネルディスプレイに適用されてもよい。
また、上記の実施形態（第１実施形態〜第２実施形態）では、無線ＬＡＮが用いられたが、他の通信態様が用いられてもよい。
また、上記の実施形態（第１実施形態〜第２実施形態）では、ミラキャストの機能を利用してＵＤＰの通信が行われたが、必ずしもミラキャストが用いられなくてもよい。
【００５２】
以上、この発明の実施形態について図面を参照して詳述してきたが、具体的な構成はこの実施形態に限られるものではなく、この発明の要旨を逸脱しない範囲の設計等も含まれる。
【００５３】
なお、以上に説明した装置（例えば、表示装置１１、１１１、端末装置１２、１１２など）における任意の構成部の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Operating System）あるいは周辺機器等のハードウェアを含むものとする。また、「コンピューター読み取り可能な記録媒体」とは、フレキシブルディスク、光磁気ディスク、ＲＯＭ（Read Only Memory）、ＣＤ（Compact Disk）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーやクライアントとなるコンピューターシステム内部の揮発性メモリー（ＲＡＭ：Random Access Memory）のように、一定時間プログラムを保持しているものも含むものとする。
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００５４】
１、１０１…表示システム、１１、１１１…表示装置、１２、１１２…端末装置、３１、７１、１３１、１７１…無線通信部、３２、１３２…表示画像投影部、３３、７２、１３３、１７２…記憶部、３４、７３、１３４、１７３…入力部、３５、７４、１３５、１７４…出力部、３６、７５、１３６、１７５…電源部、３７、７６、１３７、１７６…制御部、５１、９１、１５１、１９１…ポート処理部、５２、９２、１５２、１９２…測定処理部、５３、１９３…判定処理部、１００１、１０１１…通信用ＵＤＰ通信路、１００２、１０１２…通信用ＴＣＰ通信路、１００３、１０１３…測定用ＴＣＰ通信路
【図１】
2016134710.tif 000003
【図２】
2016134710.tif 000004
【図３】
2016134710.tif 000005
【図４】
2016134710.tif 000006